【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
画像出力装置において複数種類の色材を用いて記録媒体にパッチを出力する際の色材の付着特性を考慮して定められる最大色材総使用量を得て、
前記最大色材総使用量の以下であり規定色材総使用量の範囲内における前記複数種類の色材データの組合せを定め、
該定められた複数種類の色材データの組合せに基づいて出力されたパッチそれぞれの測色値に基づき、前記同じ色調の色材で濃度が異なる複数の色材を含む複数種類の色材のデータ生成に係る所定の変換関係を求める、
ことを特徴とする画像処理方法。
【請求項２】
前記規定色材総使用量を決定するための情報であって、予め設定される情報を取得するステップをさらに有し、該設定情報に応じて規定色材総使用量を決定することを特徴とする請求項１に記載の画像処理方法。
【請求項３】
前記複数種類の色材データの組合せを定めるステップは、前記同じ色調の色材で濃度が異なる複数の色材のうち、より濃度の濃い色材のみを含んだ複数種類の色材について組合せを定め、前記所定の変換関係を求めるステップは、前記最大色材総使用量の範囲内で、前記より濃度の濃い色材のデータを分解して当該濃度が異なる複数の色材のデータとすることにより、前記複数種類の色材のデータ生成に係る所定の変換関係を求めることを特徴とする請求項１または２に記載の画像処理方法。
【請求項４】
前記複数種類の色材データの組合せを定めるステップは、前記同じ色調の色材で濃度が異なる複数の色材を含んだ複数種類の色材について組合せを定めることを特徴とする請求項１または２に記載の画像処理方法。
【請求項５】
前記複数種類の色材の色は、イエロー、マゼンタ、シアン、ブラック、およびマゼンタより濃度が薄い淡マゼンタと、シアンより濃度が薄い淡シアンの６種類の色材であることを特徴とする請求項１ないし４のいずれかに記載の画像処理方法。
【請求項６】
画像出力装置において複数種類の色材を用いて記録媒体にパッチを出力する際の色材の付着特性を考慮して定められる最大色材総使用量を得る手段と、
前記最大色材総使用量の以下であり規定色材総使用量の範囲内における前記複数種類の色材データの組合せを定める手段と、
該定められた複数種類の色材データの組合せに基づいて出力されたパッチそれぞれの測色値に基づき、前記同じ色調の色材で濃度が異なる複数の色材を含む複数種類の色材のデータ生成に係る所定の変換関係を求める手段と、
を具えたことを特徴とする画像処理装置。
【請求項７】
前記規定色材総使用量を決定するための情報を予め入力設定する入力手段をさらに具え、規定色材総使用量決定手段は前記入力設定された情報を取得し、該情報に応じて規定色材総使用量を決定することを特徴とする請求項６に記載の画像処理装置。
【請求項８】
前記複数種類の色材データの組合せを定める組合せ手段は、前記同じ色調の色材で濃度が異なる複数の色材のうち、より濃度の濃い色材のみを含んだ複数種類の色材について組合せを定め、前記所定の変換関係を求める色分解手段は、前記最大色材総使用量の範囲内で、前記より濃度の濃い色材のデータを分解して当該濃度が異なる複数の色材のデータとすることにより、前記複数種類の色材のデータ生成に係る所定の変換関係を求めることを特徴とする請求項６または７に記載の画像処理装置。
【請求項９】
前記複数種類の色材データの組合せを定めるステップは、前記同じ色調の色材で濃度が異なる複数の色材を含んだ複数種類の色材について組合せを定めることを特徴とする請求項６または７に記載の画像処理装置。
【請求項１０】
前記複数種類の色材の色は、イエロー、マゼンタ、シアン、ブラック、およびマゼンタより濃度が薄い淡マゼンタと、シアンより濃度が薄い淡シアンの６種類の色材であることを特徴とする請求項６ないし９のいずれかに記載の画像処理装置。
【請求項１１】
前記所定の関係は、イエロー、マゼンタ、シアン、レッド、グリーン、ブルーの６色相それぞれについて最大彩度の色を目標色とする条件に従い求められることを特徴とする請求項６ないし１０のいずれかに記載の画像処理装置。
【請求項１２】
前記イエロー、マゼンタ、シアン、レッド、グリーン、ブルーの６色相における目標色は、それぞれの色相で、Ｌ＊Ｃ＊平面において、白→イエロー→ブラック、白→マゼンタ→ブラック、白→シアン→ブラック、白→レッド→ブラック、白→グリーン→ブラック、白→ブルー→ブラックとそれぞれ変化する色であることを特徴とする請求項１０または１１に記載の画像処理装置。
【請求項１３】
コンピュータに読み込まれることにより当該コンピュータに、画像処理を実行させるプログラムであって、当該画像処理は、
画像出力装置において複数種類の色材を用いて記録媒体にパッチを出力する際の色材の付着特性を考慮して定められる最大色材総使用量を得て、
前記最大色材総使用量の以下であり規定色材総使用量の範囲内における前記複数種類の色材データの組合せを定め、
該定められた複数種類の色材データの組合せに基づいて出力されたパッチそれぞれの測色値に基づき、前記同じ色調の色材で濃度が異なる複数の色材を含む複数種類の色材のデータ生成に係る所定の変換関係を求める、
処理であることを特徴とするプログラム。
【手続補正２】
【補正対象書類名】明細書
【補正対象項目名】０００５
【補正方法】変更
【補正の内容】
【０００５】
次に、ＵＣＲ／ＢＧ処理部１５０２は、ＢＧ量設定部１５０３に設定されたβ（Ｍｉｎ（Ｃ，Ｍ，Ｙ），μ）、およびＵＣＲ量設定部１５０４に設定された値μ％を用い、ＣＭＹデータに対して以下の式で表される変換を行う。  
Ｃ’＝Ｃ−（μ／１００）＊Ｍｉｎ（Ｃ，Ｍ，Ｙ）．．．（４）
Ｍ’＝Ｍ−（μ／１００）＊Ｍｉｎ（Ｃ，Ｍ，Ｙ）．．．（５）
Ｙ’＝Ｙ−（μ／１００）＊Ｍｉｎ（Ｃ，Ｍ，Ｙ）．．．（６）
Ｋ’＝β（Ｍｉｎ（Ｃ，Ｍ，Ｙ），μ）＊（μ／１００）＊Ｍｉｎ（Ｃ，Ｍ，Ｙ）．．．（７）
ここで、β（Ｍｉｎ（Ｃ，Ｍ，Ｙ），μ）は、Ｍｉｎ（Ｃ，Ｍ，Ｙ）およびμによって変わる実数で、この値により、Ｋインクの入れ方を設定することができる。そして、このＵＣＲ量およびＢＧ量は、カラープリンタの色再現範囲と、Ｋインク（墨）の入れ方に伴うプリンタの粒状度に大きな影響を及ぼすためカラープリンタの色分解処理にとって重要なパラメータとなっている。
【手続補正３】
【補正対象書類名】明細書
【補正対象項目名】００１５
【補正方法】変更
【補正の内容】
【００１５】
【課題を解決するための手段】
そのために本発明の画像処理方法は、画像出力装置において複数種類の色材を用いて記録媒体にパッチを出力する際の色材の付着特性を考慮して定められる最大色材総使用量を得て、前記最大色材総使用量の以下であり規定色材総使用量の範囲内における前記複数種類の色材データの組合せを定め、該定められた複数種類の色材データの組合せに基づいて出力されたパッチそれぞれの測色値に基づき、前記同じ色調の色材で濃度が異なる複数の色材を含む複数種類の色材のデータ生成に係る所定の変換関係を求める、ことを特徴とする。
【手続補正４】
【補正対象書類名】明細書
【補正対象項目名】００１７
【補正方法】変更
【補正の内容】
【００１７】
また、本発明の画像処理装置は、画像出力装置において複数種類の色材を用いて記録媒体にパッチを出力する際の色材の付着特性を考慮して定められる最大色材総使用量を得る手段と、前記最大色材総使用量の以下であり規定色材総使用量の範囲内における前記複数種類の色材データの組合せを定める手段と、該定められた複数種類の色材データの組合せに基づいて出力されたパッチそれぞれの測色値に基づき、前記同じ色調の色材で濃度が異なる複数の色材を含む複数種類の色材のデータ生成に係る所定の変換関係を求める手段と、を具えたことを特徴とする。
【手続補正５】
【補正対象書類名】明細書
【補正対象項目名】００６６
【補正方法】変更
【補正の内容】
【００６６】
ステップＳ６０２では、濃淡ＭＣ色材使用量計算４０２は、先に計算された濃淡マゼンタと濃淡シアンの比率と、ステップＳ５０７にて計算された色材総使用量、さらにステップＳ５０６で求めた基本４色色分解テーブルの色材データの組合せにおけるＹとＫの色材使用量を用い、濃淡マゼンタおよび濃淡シアンそれぞれの合計使用量を計算する。濃淡マゼンタおよび濃淡シアンそれぞれの合計使用量は以下のように計算される。  
濃淡マゼンタ合計使用量＝（色材総使用量−ＹとＫの合計色材使用量）＊濃淡マゼンタの比率
濃淡シアン合計使用量＝（色材総使用量−ＹとＫの合計色材使用量）＊濃淡シアンの割合
そして、計算された結果は後の処理のためＲＡＭ３０５に記憶される。